(57)【要約】【課題】装置を大型化することなく迅速に観察窓の乾燥が行える内視鏡および内視鏡の観察窓洗浄方法を提供する。【解決手段】被検体内に挿入される内視鏡挿入部１３と、内視鏡挿入部１３の先端面に配置され該先端面の観察窓へ流体を噴射する流体噴射部３７と、流体噴射部３７に連通され内視鏡挿入部１３に沿って流体を供給する流体供給管路３９と、を有する内視鏡であって、内視鏡挿入部１３内の流体供給管路３９の一部に、流体供給管路３９内の流体を加熱する加熱手段７１を備えた。【選択図】図２
2010184023.tif 000002
【特許請求の範囲】
【請求項１】
被検体内に挿入される内視鏡挿入部と、該内視鏡挿入部の先端面に配置され該先端面の観察窓へ流体を噴射する流体噴射部と、該流体噴射部に連通され前記内視鏡挿入部に沿って流体を供給する流体供給管路と、を有する内視鏡であって、
前記内視鏡挿入部内の前記流体供給管路の一部に、前記流体供給管路内の流体を加熱する加熱手段を備えた内視鏡。
【請求項２】
請求項１記載の内視鏡であって、
前記加熱手段が、前記内視鏡挿入部の先端側に配設された内視鏡。
【請求項３】
請求項１または請求項２記載の内視鏡であって、
前記加熱手段が、前記流体供給管路の外周を覆って配設された内視鏡。
【請求項４】
請求項１〜請求項３のいずれか１項記載の内視鏡であって、
前記加熱手段が、前記流体供給管路に沿った複数箇所に配設された内視鏡。
【請求項５】
請求項１〜請求項４のいずれか１項記載の内視鏡であって、
前記流体供給管路が複数の管材を接合して構成され、前記加熱手段が前記管材の接合部を跨ぐ内側に配置された内視鏡。
【請求項６】
請求項１〜請求項５のいずれか１項記載の内視鏡であって、
前記流体供給管路の少なくとも前記加熱手段の下流側で、前記流体供給管路の外周を覆う断熱材を備えた内視鏡。
【請求項７】
請求項１〜請求項６のいずれか１項記載の内視鏡であって、
前記加熱手段が、筒状のセラミックヒータである内視鏡。
【請求項８】
請求項１〜請求項６のいずれか１項記載の内視鏡であって、
前記加熱手段が、変形自在な薄板状のヒータである内視鏡。
【請求項９】
請求項１〜請求項６のいずれか１項記載の内視鏡であって、
前記加熱手段が、コイルヒータである内視鏡。
【請求項１０】
請求項１〜請求項９のいずれか１項記載の内視鏡であって、
前記流体が空気であり、前記加熱手段により昇温された温風を前記流体噴射部から噴射する内視鏡。
【請求項１１】
請求項１０記載の内視鏡であって、
前記流体供給管路が、さらに前記流体噴射部へ液体を供給する機能を有する内視鏡。
【請求項１２】
請求項１〜請求項１１のいずれか１項記載の内視鏡の観察窓洗浄方法であって、
液体を前記観察窓に噴射して洗浄した後、前記流体供給管路に設けた前記加熱手段を加熱駆動するとともに該流体供給管路内を通じ送気して生成された温風を、前記観察窓に噴射して該観察窓を乾燥させる内視鏡の観察窓洗浄方法。
【発明の詳細な説明】
【技術分野】
【０００１】
本発明は、内視鏡および内視鏡の観察窓洗浄方法に関する。
【背景技術】
【０００２】
通常、内視鏡先端部の先端面の観察窓を洗浄する場合には、この観察窓に向けてノズルから送水して観察窓を洗い流し、その後、ノズルから送気して観察窓を乾燥させている。ノズルから噴射される流体は、生理食塩水等の液体と空気とが術者の操作によって切り替えられて供給される。この観察窓の洗浄により、観察窓表面に付着した水や体腔内の粘液等が除去されて、観察視野を良好にできる。ところが、観察窓に付着した液体は、送気により完全に除去することが難しく、観察窓表面に残存して観察画像に影響を及ぼすことがある。そのため、洗浄後に液体の付着をなくす技術が種々提案されている（特許文献１〜３参照）。
【０００３】
特許文献１では、内視鏡先端の観察窓の周囲に円環状に傾斜面を形成して、ノズルから噴射された液体を傾斜面によって観察窓の周囲を回り込ませることで、観察窓表面の液体の付着を抑制している。
特許文献２では、観察窓の洗浄用液体として超臨界流体を使用している。超臨界流体は常圧環境下で気体となるので、洗浄後の乾燥時間が速められる。また、液中に残留物がないため、洗浄・乾燥してもシミ等が付着しない利点がある。
特許文献３では、光透過性材料からなり照明光出射部を覆うカバー部材を設け、観察窓の洗浄用液体を、このカバー部材を透過する照明光で加熱する流体加熱部を設けている。したがって、このカバー部材内で温められた洗浄用液体で温水洗浄できるため、観察窓が曇らずにクリアな視界を得ることができる。
しかしながら、上記いずれの方法であっても、残水を完全に除去するまでの時間が長くかかったり、内視鏡自体の大径化、装置の大型化を余儀なくされていた。
【先行技術文献】
【特許文献】
【０００４】
【特許文献１】特許第３８４５３１１号公報
【特許文献２】特開平１１−４８０１号公報
【特許文献３】特開平１１−１１３８３６号公報
【発明の概要】
【発明が解決しようとする課題】
【０００５】
本発明は、上記事情に鑑みてなされたもので、装置を大型化することなく迅速に観察窓の乾燥が行える内視鏡および内視鏡の観察窓洗浄方法を提供することを目的としている。
【課題を解決するための手段】
【０００６】
本発明は下記構成からなる。
・被検体内に挿入される内視鏡挿入部と、該内視鏡挿入部の先端面に配置され該先端面の観察窓へ流体を噴射する流体噴射部と、該流体噴射部に接続され前記内視鏡挿入部に沿って流体を供給する流体供給管路と、を有する内視鏡であって、
前記内視鏡挿入部内の前記流体供給管路の一部に、前記流体供給管路内の流体を加熱する加熱手段を備えた内視鏡。
【０００７】
・内視鏡の観察窓洗浄方法であって、
液体を前記観察窓に噴射して洗浄した後、前記流体供給管路に設けた前記加熱手段を加熱駆動するとともに該流体供給管路内を通じ送気して生成された温風を、前記観察窓に噴射して該観察窓を乾燥させる内視鏡の観察窓洗浄方法。
【発明の効果】
【０００８】
本発明によれば、装置を大型化することなく迅速に観察窓の乾燥が行える。
【図面の簡単な説明】
【０００９】
【図１】本発明に係る実施形態を説明するための内視鏡の概略的な全体構成図である。
【図２】図１に示す内視鏡における流体の管路を示す管路構成図である。
【図３】内視鏡挿入部内の送気・送水チューブの外側にチューブ状のヒータを配置した様子を示す概略断面図である。
【図４】内視鏡挿入部の一部拡大断面図である。
【図５】内視鏡先端部の先端面を示す平面図である。
【図６】流路位置に対する空気温度の変化の様子を示す説明図である。
【図７】送気・送水チューブの接続部位にヒータを設けた構成例を示す流体供給管路の一部断面図である。
【図８】送気・送水チューブに沿って複数のヒータを設けた構成例を示す流体供給管路の一部断面図である。
【図９】送気・送水チューブを断熱材で被覆した構成例を示す流体供給管路の一部断面図である。
【図１０】内視鏡先端部の接続パイプにヒータを配置した構成例を示す流体供給管路の一部断面図である。
【発明を実施するための形態】
【００１０】
以下、本発明の実施形態について、図面を参照して詳細に説明する。
最初に、内視鏡の基本構成について図１，２を用いて以下に説明する。
図１は本発明に係る実施形態を説明するための内視鏡の概略的な全体構成図である。
内視鏡（プローブ）１００は、操作部１１と、この操作部１１に連設され、体腔内に挿入される挿入部１３とを備える。挿入部１３は、軟性部１５、湾曲部１７、先端部（内視鏡先端部とも称する）１９から構成される。操作部１１には、ユニバーサルケーブル２１が接続される。
【００１１】
操作部１１には、送気・送水ボタン２３、吸引ボタン２５等の各種制御ボタンが並設されるとともに、湾曲部１７の操作手段であるアングルつまみ２７が設けられる。アングルつまみ２７と同軸上にロックつまみ２９が設けられ、ロックつまみ２９は湾曲部１７の湾曲状態を保持可能としている。操作部１１の下部の挿入部１３までの間には、鉗子口３１が設けられ、鉗子口３１から鉗子等の処置具を挿入することによって、この処置具を先端部１９の鉗子チャネル（図示略）から導出する。
【００１２】
図２は図１に示す内視鏡における流体の管路を示す管路構成図である。
前述のユニバーサルケーブル２１の先端にはＬＧコネクタ３３が設けられる。ＬＧコネクタ３３は光源装置３５に着脱自在に連結され、これによって先端部１９の照明光学系に照明光が送られる。また、ＬＧコネクタ３３には、電気コネクタ（図示略）が接続され、この電気コネクタが制御装置（プロセッサ）７９に着脱自在に連結される。
【００１３】
また、内視鏡先端部１９の先端面に配置され観察窓に流体を噴射する流体噴射部となる送気・送水ノズル３７には、流体供給管路となる送気・送水チューブ３９が連通されている。送気・送水チューブ３９は、ＰＴＦＥ（ポリテトラフルオロエチレン）等のフッ化炭素樹脂からなり、送気チューブ４１と送水チューブ４３に分岐され、それぞれが、操作部１１に配設したバルブ４５に接続される。バルブ４５には、給気チューブ４７と給水チューブ４９が接続されるとともに、送気・送水ボタン２３が取り付けられる。この送気・送水ボタン２３が突出した状態では、送気チューブ４１と給気チューブ４７が連通され、送気・送水ボタン２３を押下操作することによって、送水チューブ４３と給水チューブ４９が連通される。送気・送水ボタン２３には通気孔（不図示）が形成されており、この通気孔を介して給気チューブ４７が外気に連通される。
【００１４】
給気チューブ４７と給水チューブ４９は、ユニバーサルケーブル２１に挿通され、ＬＧコネクタ３３の送水コネクタ５１まで延設される。送水コネクタ５１には、チューブ５３が着脱自在に接続され、このチューブ５３の先端が貯水タンク５５に連結される。そして、チューブ５３は、給水チューブ４９を貯水タンク５５の液面下に連通させ、給気チューブ４７を液面上に連通させている。
【００１５】
送水コネクタ５１には、エアチューブ５７が接続されており、このエアチューブ５７は、給気チューブ４７に連通されている。また、エアチューブ５７は、ＬＧコネクタ３３を光源装置３５に連結することによって、光源装置３５内のエアポンプ５９に連通される。したがって、エアポンプ５９を駆動して空気を送気すると、エアチューブ５７を介して給気チューブ４７に空気が送気される。この送気される空気は、送気・送水ボタン２３の非操作時には、通気孔（不図示）を介して外気に逃げるようになっている。そして、術者が通気孔を塞ぐことによって、給気チューブ４７内の空気が送気チューブ４１に送気され、送気・送水ノズル３７から空気が噴射される。また、送気・送水ボタン２３を押下操作すると、給気チューブ４７と送気チューブ４１が遮断されるため、エアチューブ５７に給気された空気は、貯水タンク５５の液面上に供給される。これにより、貯水タンク５５の内圧が高まって給水チューブ４９に水が送液される。そして、送水チューブ４３を介して送気・送水ノズル３７から水が噴射される。このように送気・送水ノズル３７から水または空気が噴射され、観察光学系に吹き付けられることによって、観察光学系が洗浄される。
【００１６】
一方、鉗子チャンネル６１には、鉗子チューブ６３が接続される。鉗子チューブ６３は分岐して鉗子口３１とバルブ６５に連通される。よって、鉗子口３１から鉗子等の処置具を挿入することによって、鉗子チャンネル６１から処置具を導出することができる。前記バルブ６５には、吸引チューブ６７が接続されるとともに、吸引ボタン２５が取り付けられる。この吸引ボタン２５が突出した状態では、吸引チューブ６７が外気に連通され、吸引ボタン２５を押下操作することによって、吸引チューブ６７と鉗子チューブ６３とが接続されるようになっている。吸引チューブ６７は、ＬＧコネクタ３３の吸引コネクタ６９まで延設されており、この吸引コネクタ６９は、チューブが接続されることによって、不図示の吸引装置に連通される。したがって、吸引装置を駆動した状態で吸引ボタン２５を押下操作することによって、鉗子チャンネル６１から病変部等を吸引することができる。
【００１７】
次に、内視鏡先端部１９の送気・送水チューブに加熱手段を設けた構成について詳細に説明する。
図３は内視鏡挿入部内の送気・送水チューブの外側にチューブ状のヒータを配置した様子を示す概略断面図である。同図に示すように、送気・送水チューブ３９の一部にヒータ７１を配設し、このヒータ７１を加熱制御することで、送気・送水チューブ３９の内部の流体を加熱可能にしている。
【００１８】
ヒータ７１としては、例えば筒状のセラミックヒータを用いることができる。硬質なセラミックヒータを用いることで組み立て性が向上し、また、送気・送水チューブ３９を補強することができる。また、変形自在な薄板状のヒータを送気・送水チューブ３９の外側に環状に巻き付けて構成してもよい。その場合には、取り付け位置の自由度が高められる。さらには、複数のプレートヒータを環状に組み合わせて構成してもよい。その他にも、ラバーヒータやコイルヒータ等の適宜な加熱手段が利用可能である。また、ヒータ７１は、送気・送水チューブ３９の外側から間接的に流体を加熱するので、送気・送水チューブ３９の管路の損失抵抗が増えることがない。
【００１９】
そして、図２にも示すように、ヒータ７１の配線７３は、内視鏡挿入部１３内では送気・送水チューブ３９の外周に這わせ、操作部１１の送気・送水ボタン２３の付近に配置した制御スイッチ７５を中継して、ユニバーサルケーブル２１を介して前述の図示しない電気コネクタ内に配設された基板７７に接続する。そして、電気コネクタを制御装置（プロセッサ）７９に接続することで、電源が制御スイッチ７５にまで供給される。制御スイッチ７５は術者により任意にＯＮ／ＯＦＦ可能となっている。また、配線７３は、図３に示すように、送気・送水チューブ３９にテープ８１等で固定して、内視鏡挿入部に内包される他の収容物と絡まないように収容される。なお、制御スイッチ７５は、操作部１１に設ける以外にも、例えば制御装置７９側の操作パネル等に設けたり、フットスイッチを利用してもよい。
【００２０】
このヒータ７１は、図４に内視鏡挿入部の一部拡大断面図を示すように、内視鏡挿入部１３の先端部に設けられる。送気・送水チューブ３９は、内視鏡先端部１９の送気・送水ノズル３７に連通する接続パイプ８３に接続されて、送気または送水される流体を、図５に内視鏡先端部の先端面を示すように、送気・送水ノズル３７から観察窓８５に向けて噴射可能にしている。
【００２１】
上記構成の内視鏡１００では、内視鏡１００の術者は、図２に示す内視鏡挿入部１３を体腔内に挿入し、必要とする適宜なタイミングで操作部１１の送気・送水ボタン２３を操作して、送気・送水チューブ３９等の流体供給管路を通じて観察窓へ水を噴射して洗浄する。洗浄後は、制御スイッチ７５と送気・送水ボタン２３を操作して、ヒータ７１を加熱しながら送気して、これにより生成される温風を送気・送水ノズル３７から噴射させる。噴射された温風は、観察窓表面の残水を吹き飛ばし、払拭して、観察窓表面を乾燥させる。
【００２２】
この内視鏡１００によれば、図２に示す送気・送水ノズル３７までの流体供給管路のうち、内視鏡挿入部１３の先端部１９に近い部位に送気・送水チューブ３９内の流体を加熱するヒータ７１を配設したので、加熱後の空気を直ちに噴射に供することができる。つまり、図６に流路位置に対する空気温度の変化の様子を示すように、噴射間近の位置に加熱区間を設けることで、一旦加熱された空気が大きく冷めることなく、つまり加熱エネルギの損失を低減して、加熱直後の温度を略そのまま保持して噴射させることができる。
【００２３】
また、内視鏡挿入部１３内の送気・送水チューブ３９は、微小な径であり、ヒータ７１の配置された加熱区間で急峻に昇温させることができる。そして、図５に示す送気・送水ノズル３７から噴射した空気により、観察窓８５に付着した水滴を吹き飛ばし、かつ、早期に乾燥を完了させることができる。常温または常温以下の空気を噴射した場合では、水滴を吹き飛ばすことはできても、観察窓８５表面に残存する小さな水滴を乾燥して消滅させるまでに時間がかかる。本構成のように観察窓８５に温風を噴射することで、観察窓８５表面の乾燥時間が短縮され、残水を効率良く迅速に除去することができ、水切れ性能が向上する。
【００２４】
また、送気・送水チューブ３９やこれに接続される各管路の管路内の残水を、温風を通すことによって予め乾燥させることができ、不用意に送気・送水ノズル３７から噴射させてしまうことを防止することもできる。
【００２５】
さらに、本構成の内視鏡１００では、細径な送気・送水チューブ３９の外周に微小なヒータ７１を取り付ける簡素な構造であるため、ヒータ７１を内視鏡挿入部内の隙間領域に収容させることができ、ヒータ７１の取り付けにより内視鏡挿入部を拡径（大型化）したり、装置が複雑化することがない。したがって、被検者への負担を増すことなく内視鏡的検査を効率良く実施可能とし、観察窓の汚れを迅速に払拭して、良好な観察画像を常に安定して得ることができる。
【００２６】
次に、上記内視鏡の他の構成例について説明する。
図７は送気・送水チューブの接続部位にヒータを設けた構成例を示す流体供給管路の一部断面図である。本構成では、同図に示すように、送気・送水チューブ３９Ａ，３９Ｂの管材端面同士を対面させて、円筒状のヒータ７１Ａを送気・送水チューブ３９Ａ，３９Ｂの端部内に挿入し、送気・送水チューブ３９Ａ，３９Ｂの接続部位の外周を保護パイプ８７で覆い、シール材８９で送気・送水チューブ３９Ａ，３９Ｂの外周面と保護パイプ８７との隙間を接合している。なお、ヒータ７１Ａの内側は、図示はしないが流体が直接触れないようにパイプやフィルム等で保護されている。また、ヒータ７１Ａの配線は、例えば送気・送水チューブ３９Ａ，３９Ｂの一部に孔を穿設して外側に引き出し、この穿設された孔を接着剤で封止して気密保持されている。
【００２７】
この構成によれば、送気・送水チューブ３９Ａ，３９Ｂの接合部を跨ぐ内側にヒータ７１Ａが配置されるため、外側に配置された場合と比較して、送気・送水チューブ３９Ａ，３９Ｂの厚み分の熱伝達・熱伝導ロスをなくし、高い熱交換性を発揮することができる。また、送気・送水チューブ３９Ａ，３９Ｂの接合部位を加熱区間とすることで、接合部位をヒータ７１Ａにより増強させることができ、管路の耐久性を向上できる。
【００２８】
図８は送気・送水チューブに沿って複数のヒータを設けた構成例を示す流体供給管路の一部断面図である。本構成では、同図に示すように、ヒータ７１Ａ，７１Ｂを送気・送水チューブ３９に沿った複数の位置に設けることで、送気途中で空気温度が下がることを抑制できる。また、加熱区間が増えることで、各ヒータ７１Ａ，７１Ｂの発熱能力が小さくて済み、ヒータ本体をより小型・薄型化することが可能となる。各ヒータ７１Ａ，７１Ｂの配置は、等間隔に配置する以外にも、送気・送水ノズル（図２参照）に近い側を密に、遠い側を粗に配置して、段階的な加熱パターンとして効率化を図る構成としてもよい。なお、この場合の配線７３は、保護パイプ８７の内側を通すことで、保護パイプ８７と配線７３とが送気・送水チューブ３９に共に固定される。
【００２９】
図９は送気・送水チューブを断熱材で被覆した構成例を示す流体供給管路の一部断面図である。本構成では、同図に示すように、送気・送水チューブ３９の外周を断熱材９１で被覆している。断熱材９１は、送気・送水チューブ３９の加熱区間の下流側に配置する。図示例のように、断熱材９１は、少なくとも最下流側のヒータ７１Ｂの下流側に配置し、さらに、最下流側のヒータ７１Ｂより上流側のヒータまでの間に配置してもよい。断熱材９１としては、薄くても断熱効果の高い材料が好ましい。これにより、熱損失を抑えて加熱後の空気温度の低下を抑制できる。
【００３０】
図１０は内視鏡先端部の接続パイプにヒータを配置した構成例を示す流体供給管路の一部断面図である。本構成では、同図に示すように、送気・送水ノズル３７と送気・送水チューブ３９とを接続する接続パイプ８３にコイルヒータ７１Ｃを配設し、このコイルヒータ７１Ｃの外側を熱伝導性の低い断熱材９３で被覆している。
【００３１】
この構成によれば、コイルヒータ７１Ｃにより金属等で形成された接続パイプ８３の全体が加熱され、この接続パイプ８３を通る空気が高効率で加熱される。しかも、接続パイプ８３の下流側には送気・送水ノズル３７が接続されており、加熱した空気を直ちに噴射に供することができ、熱損失を小さくできる。また、コイルヒータ７１Ｃの外側の断熱材９３によって、コイルヒータ７１Ｃからの熱は、他の内視鏡挿入部の収容物に伝熱しにくくなり、これによっても熱損失を小さくできる。
【００３２】
以上説明した内視鏡１００は、適宜な変更が可能であり、例えば、温水を観察窓に噴射してから送気することで、観察窓の乾燥を速める構成としてもよい。また、生体の体腔内の観察に限らず、工業用途に用いる内視鏡の場合であっても、観察視野を短時間でクリアにする上記同様の効果を得ることができ、検査作業の迅速化が図られる。
【００３３】
以上説明したように、本明細書には、次の事項が開示されている。
（１）  被検体内に挿入される内視鏡挿入部と、該内視鏡挿入部の先端面に配置され該先端面の観察窓へ流体を噴射する流体噴射部と、該流体噴射部に連通され前記内視鏡挿入部に沿って流体を供給する流体供給管路と、を有する内視鏡であって、
前記内視鏡挿入部内の前記流体供給管路の一部に、前記流体供給管路内の流体を加熱する加熱手段を備えた内視鏡。
この内視鏡によれば、内視鏡挿入部の流体供給管路に加熱手段を設けた簡単な構成により、流体供給管路内の流体を加熱して、この加熱した流体を観察窓に噴射することで、観察窓を効率良く、しかも速く乾燥させることができる。
【００３４】
（２）  （１）の内視鏡であって、
前記加熱手段が、前記内視鏡挿入部の先端側に配設された内視鏡。
この内視鏡によれば、加熱手段が流体噴射部に近い内視鏡挿入部の先端側に配設されることで、加熱後の流体が冷える前に噴射に供することができ、加熱エネルギの損失を低減できる。
【００３５】
（３）  （１）または（２）の内視鏡であって、
前記加熱手段が、前記流体供給管路の外周を覆って配設された内視鏡。
この内視鏡によれば、加熱手段が流体供給管路の外周を覆うことで、流体供給管路内の流体を間接的に加熱するため、加熱手段によって流体の流れが乱されず、管路の損失抵抗を増やすことがない。
【００３６】
（４）  （１）〜（３）のいずれかの内視鏡であって、
前記加熱手段が、前記流体供給管路に沿った複数箇所に配設された内視鏡。
この内視鏡によれば、加熱手段が複数箇所に配設されることで、途中で流体の温度が下がることを抑制でき、加熱区間が増えることで、各加熱手段の発熱能力が小さくて済み、加熱手段をより小型・薄型化することが可能となる
【００３７】
（５）  （１）〜（４）のいずれかの内視鏡であって、
前記流体供給管路が複数の管材を接合して構成され、前記加熱手段が前記管材の接合部を跨ぐ内側に配置された内視鏡。
この内視鏡によれば、管材の内側に加熱手段が配置されるため、外側に配置された場合と比較して、管材の厚み分の熱伝達・熱伝導ロスをなくし、高い熱交換性を発揮することができる。また、接合部位を加熱手段により増強させることができ、管路の耐久性を向上できる。
【００３８】
（６）  （１）〜（５）のいずれの内視鏡であって、
前記流体供給管路の少なくとも前記加熱手段の下流側で、前記流体供給管路の外周を覆う断熱材を備えた内視鏡。
この内視鏡によれば、熱損失を抑えて流体供給管路内の流体の温度低下を抑制できる。
【００３９】
（７）  （１）〜（６）のいずれかの内視鏡であって、
前記加熱手段が、筒状のセラミックヒータである内視鏡。
この内視鏡によれば、硬質なセラミックヒータを用いることで組み立て性が向上し、また、流体供給管路を補強することができる。
【００４０】
（８）  （１）〜（６）のいずれかの内視鏡であって、
前記加熱手段が、変形自在な薄板状のヒータである内視鏡。
この内視鏡によれば、取り付け位置の自由度が高められる。
【００４１】
（９）  （１）〜（６）のいずれかの内視鏡であって、
前記加熱手段が、コイルヒータである内視鏡。
この内視鏡によれば、流体供給管路を簡素な構成で加熱することができる。
【００４２】
（１０）  （１）〜（９）のいずれかの内視鏡であって、
前記流体が空気であり、前記加熱手段により昇温された温風を前記流体噴射部から噴射する内視鏡。
この内視鏡によれば、加熱手段により温風を生成して観察窓へ噴射することで、観察窓の乾燥を速めることができる。
【００４３】
（１１）  （１０）の内視鏡であって、
前記流体供給管路が、さらに前記流体噴射部へ液体を供給する機能を有する内視鏡。
この内視鏡によれば、同一の流体供給管路を通じて、液体と空気を送ることで、配管構造を簡略化でき、内視鏡挿入部の細径化が図られる。
【００４４】
（１２）  （１）〜（１１）のいずれかの内視鏡の観察窓洗浄方法であって、
液体を前記観察窓に噴射して洗浄した後、前記流体供給管路に設けた前記加熱手段を加熱駆動するとともに該流体供給管路内を通じ送気して生成された温風を、前記観察窓に噴射して該観察窓を乾燥させる内視鏡の観察窓洗浄方法。
この内視鏡の観察窓洗浄方法によれば、観察窓を洗浄した後の観察窓に残存する液体を温風の噴射により払拭でき、しかも観察窓の乾燥を速めることができる。
【符号の説明】
【００４５】
１１  操作部
１３  挿入部
１９  先端部
２３  送気・送水ボタン
３７  送気・送水ノズル
３９，３９Ａ，３９Ｂ  送気・送水チューブ
４１  送気チューブ
４３  送水チューブ
４５  バルブ
４７  給気チューブ
４９  給水チューブ
５１  送水コネクタ
５３  チューブ
５７  エアチューブ
５９  エアポンプ
６５  バルブ
７１，７１Ａ，７１Ｂ  ヒータ
７１Ｃ  コイルヒータ
７３  配線
７５  制御スイッチ
７７  基板
７９  制御装置（プロセッサ）
８３  接続パイプ
８５  観察窓
９１，９３  断熱材
１００  内視鏡
【図１】
2010184023.tif 000003
【図２】
2010184023.tif 000004
【図３】
2010184023.tif 000005
【図４】
2010184023.tif 000006
【図５】
2010184023.tif 000007
【図６】
2010184023.tif 000008
【図７】
2010184023.tif 000009
【図８】
2010184023.tif 000010
【図９】
2010184023.tif 000011
【図１０】
2010184023.tif 000012